(57)【要約】【目的】収容物が取り出しやすく、また、蓋部を開いて収容物を展示等する際に前方から見やすく、しかも、蓋部を開くにつれて容器内部の収容物が上方に出現するような動きを持たせることで、収容物に対する印象を鮮明に際出させることが可能で、更に、組み立てる際には、糊等の接着剤を用いて貼り付ける工程が不要な包装容器を提供しようとするものである。【構成】直方体状の包装容器であって、身部（１）と、片開きの蓋部（２）と、前記身部（１）内部に収納され、物品収容トレイ（４）を保持するとともに、前記蓋部（２）と連動して動く内部可動部（３）とで構成する。【選択図】    図２
2004268946.tif 000002
【特許請求の範囲】
【請求項１】
身部（１）と片開きの蓋部（２）とを備える直方体状の包装容器であって、前記身部（１）内部に収納され、物品収容トレイ（４）を保持するとともに、前記蓋部（２）と連動して動く内部可動部（３）を備え、前記蓋部（２）を開くにつれて、前記物品収容トレイ（４）が、その後端部を上にして傾斜しながら前記身部（１）内部から出現してなることを特徴とする包装容器。
【請求項２】
前記身部（１）を、前板（１１）、左右の側板（１２，１２）、及び、底板（１３）で構成し、前記蓋部（２）を、後板（１４）、及び、該後板（１４）と連接する天板（１５）とで構成すると共に、前記底板（１３）と前記後板（１４）との境界稜線を支点として前記蓋部（２）を開閉し、
前記身部（１）内に収納される前記内部可動部（３）を、
前記天板（１５）の内面側で、前記身部（１）の深さの距離離間して前記天板（１５）の後端付近と平行に対面すると共に、前記蓋部（２）の開閉時に該対面状態を維持しつつ前記天板（１５）と一体となって動く後部内底板（１６）と、
該後部内底板（１６）の前端縁に山折状態で折曲自在に連接するとともに、上面上に前記物品収容トレイ（４）を保持する前部内底板（１７）と、
前記底板（１３）の左右の内面上を前後方向に覆うガイド片（１９）と、
前記前部内底板（１７）の前端縁に谷折状態で折曲自在に連接すると共に、左右の端部が、前記ガイド片（１９）と前記底板（１３）との間に形成される隙間層（１９ａ）を前後方向にスライドするスライド片（１８）と、で構成し、
前記蓋部（２）を開くにつれて、前記内部可動部（３）のスライド片（１８）が後方に向かって移動しながら、前記後部内底板（１６）と前記前部内底板（１７）との山折部分が隆起し、前記物品収容トレイ（４）がその後端部を上にして傾斜すると共に該傾斜の角度を増加しながら、前記身部（１）内部から出現してなる請求項１記載の包装容器。
【請求項３】
前記蓋部（２）の前記天板（１５）の後端部の左右両端に、前記天板（１５）の下面と垂直になるように左右の天板側片（３２，３２）を連接し、該天板側片（３２，３２）の下端に前記天板（１５）の後部と身部（１）の深さの距離離間して平行に対面する天板側片フラップ（３３，３３）を内側向きに連接するとともに、該天板側片フラップ（３３，３３）と前記天板側片（３２，３２）との連接部に後部内底板保持用スリット（３２ａ，３２ａ）を設けた後部内底板保持部（５）を形成するとともに、前記内部可動部（３）の前記後部内底板（１６）の左右両端に、該後部内底板（１６）の上面と垂直になるように後部内底板保持用フラップ（２０，２０）を備え、該後部内底板保持用フラップ（２０，２０）を、前記後部内底板保持部（５）の前記後部内底板保持用スリット（３２ａ，３２ａ）に嵌め込んで、前記天板（１５）と後部内底板（１６）とを一体化してなる請求項２記載の包装容器。
【請求項４】
前記内部可動部（３）における前記後部内底板（１６）と前記前部内底板（１７）との連接部が、前記前部内底板（１７）の幅よりも狭く、且つ前記前部内底板（１７）の後端よりも前方に位置してなる請求項２または３記載の包装容器。
【請求項５】
前記内部可動部（３）の前記前部内底板（１７）の上面側で、該前部内底板（１７）に垂直になるように、該前部内底板（１７）の前端の左右両端寄りに内底板前フラップ（４１，４１）を、また、後端の左右両端寄りに内底板後フラップ（４２，４２）を連接するとともに、これらの内底板前フラップ（４１，４１）、内底板後フラップ（４２，４２）と前記前部内底板（１７）との連接部に、それぞれ内底板前スリット（１７ａ，１７ａ）、内底板後スリット（１７ｂ，１７ｂ）を設けるとともに、
前記内部可動部（３）の前記前部内底板（１７）の左右両端に、該前部内底板（１７）の上面側に該前部内底板（１７）と垂直となるように、内底板側片（４３，４３）を連接し、該内底板側片（４３，４３）の上端に前記前部内底板（１７）と平行な内底板棚片（４４，４４）を内側に向かって連接し、該内底板棚片（４４，４４）の内端に前記内底板側片（４３，４３）と平行な内底板内側片（４５，４５）を前記前部内底板（１７）に向かって連接するとともに、前記内底板棚片（４４，４４）の前端及び後端に該内底板棚片（４４，４４）と垂直になるように前記前部内底板（１７）に向かって、内底板前片（４６，４６）と内底板後片（４８，４８）をそれぞれ連接し、該内底板前片（４６，４６）と該内底板後片（４８，４８）の各下端に内側向きに設けられた内底板前片フラップ（４７，４７）と内底板後片フラップ（４９，４９）を、それぞれ内底板前スリット（１７ａ，１７ａ）と内底板後スリット（１７ｂ，１７ｂ）に嵌め込んで物品収容トレイ保持部（７）を形成するとともに、該物品収容トレイ保持部（７）を前記物品収容トレイ（４）として使用するか、或いは、該物品収容トレイ保持部（７）に、別に製作された前記物品収容トレイ（４）を挿入して保持してなる請求項２から４のいずれか１項に記載の包装容器。
【請求項６】
前記身部（１）の前板（１１）の上端に前記底板（１３）と平行な前板棚片（２１）を後方に向かって連接し、該前板棚片（２１）の後端に前記前板（１１）と平行な前板内側片（２２）を下方に向かって連接するとともに、前記前板（１１）の左右両端に前板側片（２４，２４）を前記前板（１１）と垂直となるように後方に向かって連接し、該前板側片（２４，２４）の後端には内側向きに前板側片フラップ（２５，２５）を設け、該前板側片フラップ（２５，２５）を、前記前板内側片（２２）の左右両端に前方向きに連接した前板内側片フラップ（２３，２３）と前記前板内側片（２２）との連接部に設けられた前板内側片スリット（２２ａ，２２ａ）に嵌め込んで形成した前端部（６）を設けてなる請求項２から５のいずれか１項に記載の包装容器。
【請求項７】
前記身部（１）の左右の前記側板（１２，１２）の上端の前方寄りに前記底板（１３）と平行な側板棚片（２６，２６）を内側に向かって連接するとともに、該側板棚片（２６，２６）の前端中央寄りに前記底板（１３）に向かって設けられた側板棚片フラップ（２７，２７）を、前記身部（１）の前端部（６）の前板（１１）と前板棚片（２１）との連接部の左右の両端寄りに備えられた前板スリット（１１ｂ，１１ｂ）に嵌め込むとともに、前記側板棚片（２６，２６）の後端の形状を、左右の前記側板（１２，１２）の上端上で、前記前板棚片（２１）の後端よりも後方から、前方内側に向かってなだらかな凹状の曲線としてなる請求項６記載の包装容器。
【発明の詳細な説明】
【０００１】
【発明の属する技術分野】
この発明は、包装容器に関するものである。
【０００２】
【従来の技術】
従来医療用のアンプルや、描画用のクレヨン等を収容する容器は、厚紙で製作された特許文献１や２に示すような形状をしている。これらは、一般に、身部と片開きの蓋部とを備えた直方体状の容器で、身部の内部に、アンプルやクレヨン等を収容するものである。この容器は、厚紙等のシート状の折曲可能な板材に描いた展開図を裁断して折曲して組み立て、糊代等に接着剤を塗布して貼り付けることにより、固定して形成されている。
【０００３】
【特許文献１】
実開昭５８−１５１５９０号公報の図３
【特許文献２】
特開平９−３０１３４９号公報の図１
【０００４】
【発明が解決しようとする課題】
しかし、従来例の容器は、身部の内部に、アンプルやクレヨン等を収容するが、蓋部を開いてもアンプルやクレヨン等を収容している物品収容部は身部の内部に固定されており、アンプルやクレヨン等の収容物が取り出しにくい欠点があった。また、蓋部を開いて身部の内部に収容されたクレヨン等の収容物を展示する場合、収容物が身部の内部に水平な状態で横たわっているので、前方からは見づらい欠点があった。これは単に見づらいのみならず、蓋部を開いてもその中に収容されている物品は、蓋部を開くにつれて動くようなことは無いことから、収容物に対する印象が今ひとつ薄くならざるを得ないという欠点があった。また、上述したように、これらの容器を組み立てる際には、接着剤を用いて貼り付ける工程が必要であり、手間がかかっていた。
そこでこの発明はこれらの欠点を解消するためになされたものであって、収容物が取り出しやすく、また、蓋部を開いて収容物を展示等する際に前方から見やすく、しかも、蓋部を開くにつれて容器内部の収容物が上方に出現するような動きを持たせることで、収容物に対する印象を鮮明に際出させることが可能で、更に、組み立てる際には、糊等の接着剤を用いて貼り付ける工程が不要な包装容器を提供しようとするものである。
【０００５】
【課題を解決するための手段】
次に、本発明の包装容器について、図１〜図９を参照しながら説明する。尚、本明細書では、前方とは、手前の方向を言い、後方とは、奥行方向をいう。図１は本発明の包装容器の蓋部を閉じた状態の、また、図２は蓋部を開いた状態の斜視図である。図３は本発明の包装容器の身部・蓋部展開図であり、図４は内部可動部展開図である。図５は本発明の包装容器の身部と蓋部の組み立て手順の第１ステップの、図６（ａ）は第２ステップの、そして図６（ｂ）は第３ステップの説明図である。図７は本発明の包装容器の内部可動部の組み立て手順の第１ステップの、図８（ａ）は第２ステップの、そして図８（ｂ）は第３ステップの説明図である。そして、図９は本発明の包装容器の分解斜視図である。
【０００６】
本発明の包装容器は、身部１と片開きの蓋部２とを備える直方体状の包装容器であって、前記身部１内部に収納され、物品収容トレイ４を保持するとともに、前記蓋部２と連動して動く内部可動部３を備え、前記蓋部２を開くにつれて、前記物品収容トレイ４が、その後端部を上にして傾斜しながら前記身部１内部から出現してなることを特徴としている。
【０００７】
上記の包装容器において、前記身部１を、前板１１、左右の側板１２，１２、及び、底板１３で構成し、前記蓋部２を、後板１４、及び、該後板１４と連接する天板１５とで構成すると共に、前記底板１３と前記後板１４との境界稜線を支点として前記蓋部２を開閉し、前記身部１内に収納される前記内部可動部３を、前記天板１５の内面側で、前記身部１の深さの距離離間して前記天板１５の後端付近と平行に対面すると共に、前記蓋部２の開閉時に該対面状態を維持しつつ前記天板１５と一体となって動く後部内底板１６と、該後部内底板１６の前端縁に山折状態で折曲自在に連接するとともに、上面上に前記物品収容トレイ４を保持する前部内底板１７と、前記底板（１３）の左右の内面上を前後方向に覆うガイド片（１９）と、前記前部内底板（１７）の前端縁に谷折状態で折曲自在に連接すると共に、左右の端部が、前記ガイド片（１９）と前記底板（１３）との間に形成される隙間層（１９ａ）を前後方向にスライドするスライド片（１８）と、で構成し、前記蓋部２を開くにつれて、前記内部可動部３のスライド片１８が後方に向かって移動しながら、前記後部内底板１６と前記前部内底板１７との山折部分が隆起し、前記物品収容トレイ４がその後端部を上にして傾斜すると共に該傾斜の角度を増加しながら、前記身部１内部から出現するように構成することができる。
【０００８】
上記の包装容器は、具体的には、前記蓋部２の前記天板１５の後端部の左右両端に、前記天板１５の下面と垂直になるように左右の天板側片３２，３２を連接し、該天板側片３２，３２の下端に前記天板１５の後部と身部１の深さの距離離間して平行に対面する天板側片フラップ３３，３３を内側向きに連接するとともに、該天板側片フラップ３３，３３と前記天板側片３２，３２との連接部に後部内底板保持用スリット３２ａ，３２ａを設けた後部内底板保持部５を形成するとともに、前記内部可動部３の前記後部内底板１６の左右両端に、該後部内底板１６の上面と垂直になるように後部内底板保持用フラップ２０，２０を備え、該後部内底板保持用フラップ２０，２０を、前記後部内底板保持部５の前記後部内底板保持用スリット３２ａ，３２ａに嵌め込んで、前記天板１５と後部内底板１６とを一体化することができる。
【０００９】
また、上記の包装容器において、前記内部可動部３における前記後部内底板１６と前記前部内底板１７との連接部が、前記前部内底板１７の幅よりも狭く、且つ前記前部内底板１７の後端よりも前方に位置するようにしてもよい。
【００１０】
また、上記の包装容器において、前記内部可動部３の前記前部内底板１７の上面側で、該前部内底板１７に垂直になるように、該前部内底板１７の前端の左右両端寄りに内底板前フラップ４１，４１を、また、後端の左右両端寄りに内底板後フラップ４２，４２を連接するとともに、これらの内底板前フラップ４１，４１、内底板後フラップ４２，４２と前記前部内底板１７との連接部に、それぞれ内底板前スリット１７ａ，１７ａ、内底板後スリット１７ｂ，１７ｂを設けるとともに、前記内部可動部３の前記前部内底板１７の左右両端に、該前部内底板１７の上面側に該前部内底板１７と垂直となるように、内底板側片４３，４３を連接し、該内底板側片４３，４３の上端に前記前部内底板１７と平行な内底板棚片４４，４４を内側に向かって連接し、該内底板棚片４４，４４の内端に前記内底板側片４３，４３と平行な内底板内側片４５，４５を前記前部内底板１７に向かって連接するとともに、前記内底板棚片４４，４４の前端及び後端に該内底板棚片４４，４４と垂直になるように前記前部内底板１７に向かって、内底板前片４６，４６と内底板後片４８，４８をそれぞれ連接し、該内底板前片４６，４６と該内底板後片４８，４８の各下端に内側向きに設けられた内底板前片フラップ４７，４７と内底板後片フラップ４９，４９を、それぞれ内底板前スリット１７ａ，１７ａと内底板後スリット１７ｂ，１７ｂに嵌め込んで物品収容トレイ保持部７を形成するとともに、該物品収容トレイ保持部７を前記物品収容トレイ４として使用するか、或いは、該物品収容トレイ保持部７に、別に製作された前記物品収容トレイ４を挿入して保持することができる。
【００１１】
また、上記の包装容器において、前記身部１の前板１１の上端に前記底板１３と平行な前板棚片２１を後方に向かって連接し、該前板棚片２１の後端に前記前板１１と平行な前板内側片２２を下方に向かって連接するとともに、前記前板１１の左右両端に前板側片２４，２４を前記前板１１と垂直となるように後方に向かって連接し、該前板側片２４，２４の後端には内側向きに前板側片フラップ２５，２５を設け、該前板側片フラップ２５，２５を、前記前板内側片２２の左右両端に前方向きに連接した前板内側片フラップ２３，２３と前記前板内側片２２との連接部に設けられた前板内側片スリット２２ａ，２２ａに嵌め込んで形成した前端部６を設けるのが好ましい。
【００１２】
また、上記の包装容器において、前記身部１の左右の前記側板１２，１２の上端の前方寄りに前記底板１３と平行な側板棚片２６，２６を内側に向かって連接するとともに、該側板棚片２６，２６の前端中央寄りに前記底板１３に向かって設けられた側板棚片フラップ２７，２７を、前記身部１の前端部６の前板１１と前板棚片２１との連接部の左右の両端寄りに備えられた前板スリット１１ｂ，１１ｂに嵌め込むとともに、前記側板棚片２６，２６の後端の形状を、左右の前記側板１２，１２の上端上で、前記前板棚片２１の後端よりも後方から、前方内側に向かってなだらかな凹状の曲線とするのが好ましい。
【００１３】
【発明の実施の形態】
次に、本発明の実施例につき、図面に基づき詳しく説明する。本実施例の説明に用いる図は、上述の説明と同様、前出の図１から図９を用いる。ここでは、前出の図の説明の「本発明」を「本実施例」に読み替えるものとする。本実施例の包装容器は、医療用のアンプルを収容する包装容器である。この本実施例の包装容器は、図１、２からわかるとおり、直方体状の包装容器であり、身部１及び片開きの蓋部２と、身部１の内部に収容される内部可動部３とで構成される。この身部１及び蓋部２と内部可動部３とは、ともに厚紙製であり、厚紙に描いた身部・蓋部展開図と内部可動部展開図とをそれぞれ、裁断し、折曲して組み立てて構成する。この組立は接着剤を全く使用しないで行なう。図３は身部・蓋部展開図を、図４は内部可動部展開図を示している。
【００１４】
まず、身部１及び蓋部２について説明する。図３において、身部１及び蓋部２用の身部・蓋部展開図は、後方から前方にかけて、蓋部２を構成する、ロック用フラップ３１、長方形状の天板１５及び長方形状の後板１４を順に連接し、後板１４の前方側には身部１を構成する長方形状の底板１３と長方形状の前板１１とを順に連接している。
また、天板１５の左右両端の前方寄りに、左右の長方形状の天板側片３２，３２を連接し、該前記天板側片３２，３２の外側に天板側片フラップ３３，３３を連接すると共に、該天板側片フラップ３３，３３と天板側片３２，３２との連接部に後部内底板保持用スリット３２ａ，３２ａを設け、天板側片３２，３２の後方側に天板補強フラップ３４，３４を連接すると共に、該天板補強フラップ３４，３４の先端付近には嵌合用スリット３４ａ，３４ａを設けている。天板側片３２，３２の左右の両端は、天板１５の左右の両端と平行であり、該両端からの距離は、それぞれ、本実施例の包装容器の深さ、即ち、身部１の深さと同じである。
【００１５】
また、前板１１の前方側に長方形状の前板棚片２１を連接するとともに、該前板棚片２１と前板１１との連接部の左右の両端寄りには、前板スリット１１ｂ，１１ｂを設け、中央部には、ロック用スリット１１ａを設け、前板１１の左右両端には長方形状の前板側片２４，２４を連接するとともに、該前板側片２４，２４の外側には前板側片フラップ２５，２５を連接している。また、前板棚片２１の前方側には略長方形状の前板内側片２２を連接し、該前板内側片２２の左右両端には前板内側片フラップ２３，２３を連接するとともに、該前板内側片フラップ２３，２３と前板内側片２２との連接部には前板内側片スリット２２ａ，２２ａを設け、前板内側片２２の前方側には前方側に突出したコ字型のガイド片１９を連接している。また、底板１３の左右両端には左右の長方形状の側板１２，１２を連接し、該側板１２，１２の左右両端の前方寄りには側板棚片２６，２６を連接し、該側板棚片２６，２６の前端外側寄りから前方側に側板棚片フラップ２７，２７を連接している。側板棚片２６，２６の後端の形状は、側板１２，１２の左右両端上で該側板１２，１２の前端を基点に、前板棚片２１の下端から上端までの距離よりも後方に位置する地点から、前方外側に向かってなだらかに下降する凹状の曲線としている。
【００１６】
上記の身部・蓋部展開図を裁断して折曲して身部１と蓋部２とを組み立てるが、図５、図６（ａ）、（ｂ）はこの手順を示している。まず、図５に示すように、天板側片３２，３２、天板側片フラップ３３，３３及び天板補強フラップ３４，３４の各連接部分を谷折し、左右の天板補強フラップ３４，３４を嵌合用スリット３４ａ，３４ａにより天板１５の内面側で勘合して、天板１５と一体化した後部内底板保持部５を天板１５の内面側の後部に形成する。この後部内底板保持部５の天板側片フラップ３３，３３は、天板１５と身部１の深さの距離離間して、且つ、平行の状態で対面することになる。また、この後部内底板保持部５の天板側片フラップ３３，３３と天板側片３２，３２との連接部には、後部内底板保持用スリット３２ａ，３２ａが設けられている。
【００１７】
そして、図６（ａ）に示すように、前板１１、前板棚片２１及び前板内側片２２の連接部分を谷折するとともに、前板内側片２２とガイド片１９との連接部を山折し、ガイド片１９を底板１３の内面上に近接させて、底板１３との間に隙間層１９ａを形成する。さらに、図６（ｂ）に示すように、前板内側片フラップ２３，２３、前板側片２４，２４、前板側片フラップ２５，２５の連接部を谷折し、前板側片フラップ２５，２５を前板内側片スリット２２ａ，２２ａへ嵌め込んだ後、側板１２，１２、側板棚片２６，２６及び側板棚片フラップ２７，２７の連接部分を谷折して、側板棚片フラップ２７，２７を前板スリット１１ｂ，１１ｂへ嵌め込んで、身部１の前部に前端部６を形成する。
この状態で、底板１３、後板１４及び天板１５の連接部を谷折すると、身部１と蓋部２とが完成する。そして、ロック用フラップ３１の連接部を谷折して、ロック用スリット１１ａへ嵌め込むと、蓋部２をロックすることができる。このように、身部１と蓋部２とは、全く接着剤を使用しないで組み立てられる。
【００１８】
次に、内部可動部３について説明する。図４において、内部可動部３用の内部可動部展開図は、後方から前方にかけて、後部内底板１６、物品収容トレイ４を上面に保持させる前部内底板１７、及び、左右の端部が突形のスライド片１８を順に連接する。後部内底板１６と前部内底板１７とを合わせると、略長方形状であり、後部内底板１６の前部は逆台形状で、前部内底板１７の後部に食い込んだ状態であり、後部内底板１６と前部内底板１７との連接部は、後部内底板１６や前部内底板１７の幅よりも狭く、且つ前部内底板１７の後端よりも前方に位置しているとともに、後部内底板１６の後端や前部内底板１７の前端と平行である。そして、後部内底板１６の左右両端に後部内底板保持用フラップ２０，２０を連接している。
【００１９】
また、前部内底板１７の前方側の左右両端寄りに内底板前フラップ４１，４１を連接するとともに、前部内底板１７の後方側の左右両端寄りに内底板後フラップ４２，４２を連接し、前部内底板１７の左右両端には外側に向かって順に、長方形状の内底板側片４３，４３、内底板棚片４４，４４及び内底板内側片４５，４５を連接し、内底板棚片４４，４４の前方側には、該内底板棚片４４，４４の連接部から外側にはみ出すような形状の内底板前片４６，４６を連接し、該内底板前片４６，４６の前方側には、内底板前片フラップ４７，４７を連接し、また、内底板棚片４４，４４の後方側には、該内底板棚片４４，４４の連接部から外側にはみ出すように内底板後片４８，４８を連接し、該内底板後片４８，４８の後方側には、内底板後片フラップ４９，４９を連接している。
【００２０】
上記の内部可動部展開図を裁断して折曲して内部可動部３を組み立てるが、図７、図８（ａ）、（ｂ）はこの手順を示している。まず、図７に示すように、内底板前フラップ４１，４１及び内底板後フラップ４２，４２の連接部を谷折した後、図８（ａ）及び（ｂ）に示すように、内底板側片４３，４３、内底板棚片４４，４４、内底板内側片４５，４５、内底板前片４６，４６、内底板前片フラップ４７，４７、内底板後片４８，４８及び内底板後片フラップ４９，４９の各連接部を谷折して、内底板前フラップ４１，４１の外側に内底板前片４６，４６を重ね、内底板後フラップ４２，４２の外側に内底板後片４８，４８を重ねた後、内底板前片フラップ４７，４７を内底板前スリット１７ａ，１７ａへ、また、内底板後片フラップ４９，４９を内底板後スリット１７ｂ，１７ｂへ嵌め込んで、物品収容トレイ保持部７を形成する。そして、後部内底板１６と前部内底板１７との連接部分を山折するとともに、後部内底板１６と後部内底板保持用フラップ２０との連接部分を谷折して、内部可動部３を形成する。この内部可動部３の前部内底板１７の上面上に形成された物品収容トレイ保持部７に、別に製作した医療用のアンプルを収容する物品収容トレイ４を挿入して保持させる。この物品収容トレイ４は、板状の厚紙にその前端部分と後端部分とを谷折して前壁と後壁を設けた台紙５１の上に、波状の仕切紙５２を設けて形成されている。このように、内部可動部３は、全く接着剤を使用しないで組み立てられる。
【００２１】
上記のようにして形成された身部１及び蓋部２と内部可動部３は、内部可動部３を身部１内に組み込んで収容するとともに蓋部２に連動させることで、本実施例の包装容器は完成する。図９はこの様子を示している。図９において、内部可動部３の後部内底板１６の左右両端に設けられた後部内底板保持用フラップ２０，２０を、天板１５の内面側の後部に形成され、蓋部２と一体化している後部内底板保持部５に備えられている後部内底板保持用スリット３２ａ，３２ａへ嵌め込んで、内部可動部３の後部内底板１６を後部内底板保持部５に連結するとともに、内部可動部３のスライド片１８の左右の突形端部１８ａ，１８ａを、身部１の内部に配設されているガイド片１９と底板１３との間に形成された隙間層１９ａに内側から外側に向かって挿入すると、図２に示すような本実施例の包装容器が完成する。
【００２２】
このようにして形成された本実施例の包装容器は、前記底板１３と前記後板１４との境界稜線を支点として蓋部２が開閉する。また、蓋部２の天板１５の内面後端部には、後部内底板保持部５を設けているが、該後部内底板保持部５は、蓋部２の天板１５の後端部の左右両端に、天板１５の下面と垂直になるように左右の天板側片３２，３２を連接し、該天板側片３２，３２の下端に天板１５の後部と身部１の深さの距離離間して平行に対面する天板側片フラップ３３，３３を内側向きに連接するとともに、該天板側片フラップ３３，３３と天板側片３２，３２との連接部に後部内底板保持用スリット３２ａ，３２ａを設けて形成されている。また、該後部内底板保持用スリット３２ａ，３２ａに、内部可動部３の後部内底板１６の左右両端に設けられた後部内底板保持用フラップ２０，２０を嵌め込んでいるので、内部可動部３の後部内底板１６は、前記天板１５の内面側で、前記身部１の深さの距離離間して前記天板１５の後端付近と平行に対面すると共に、前記蓋部２の開閉時に該対面状態を維持しつつ前記天板１５と一体となって動くことになる。
【００２３】
また、後部内底板１６はその前端縁に山折状態で折曲自在に前部内底板１７と連接するとともに、前部内底板１７には物品収容トレイ４を保持する物品収容トレイ保持部７が形成され、前部内底板１７前端縁に谷折状態で折曲自在に連接するスライド片１８は、その左右の端部が、底板１３の左右の内面上を前後方向に覆うガイド片１９と底板１３との間に形成される隙間層１９ａに挿入されて、前後方向にスライドする。従って、蓋部２を開くにつれて、内部可動部３のスライド片１８が後方に向かって移動しながら、後部内底板１６の前端縁と前部内底板１７との山折部分が隆起するとともに、前部内底板１７の上面上に設けられた物品収容トレイ４がその後端部を上にして傾斜するとともに、該傾斜の角度を増加しながら、身部１内部から出現する。物品収容トレイ４には、医療用のアンプルが収容され、蓋部２を開くとともに、物品収容トレイ４に収容された医療用のアンプルが身部１内部から出現するので、前方から容易に見ることができるとともに、アンプルの取り出しを容易に行なうことができる。また、本実施例の包装容器では、上記のように、蓋部２を開くにつれて容器内部の収容物が上方に出現するような動きを持たせているので、収容物に対する印象を鮮明に際出させることができる。
【００２４】
本実施例の包装容器では、内部可動部３における後部内底板１６と前部内底板１７との連接部が、前部内底板１７の幅よりも狭く、且つ前部内底板１７の後端よりも前方に位置しているので、物品収容トレイ４を保持する前部内底板１７の上面上の空間を広くとることができる。また身部１の前端には前端部６が設けられているので、身部１の強度を増強することができる。また、物品収容トレイ４上に形成される物品収容トレイ保持部７は、左右両側の内側に内底板内側片４５，４５を有しており、これにより、物品収容トレイ保持部７の挿入する物品収容トレイ４を左右から横圧して保持することができる。また、側板１２，１２の左右両端の前方寄りに連接された側板棚片２６，２６の後端の形状を、左右の前記側板１２，１２の上端上で、前記前板棚片２１の後端よりも後方から、前方内側に向かってなだらかな凹状の曲線としているので、蓋部２を閉める際に、物品収容トレイ保持部７が、前方に移動してこの曲線に沿ってスムースに側板棚片２６，２６の下にもぐりこませることができ、蓋部２をスムースに閉めることができる。
【００２５】
上記の本実施例では、収容物は医療用のアンプルであるが、クレヨン等も同様に収容することができる。しかし、これには限られず、例えば、図１０に示すように、カセットテープ６１を収容するようにすることもできる。この場合は、台紙５１と仕切紙５２とでなる物品収容トレイ４を用いず、直接カセットテープ６１を内部可動部３の前部内底板１７の上面状の空間に収容している。このように、物品収容トレイ４の形状を、収容物に合わせて形成することにより、さまざまなものを収容することができる。
【００２６】
【発明の効果】
以上述べたように、本発明の包装容器は、身部（１）と片開きの蓋部（２）とを備える直方体状の包装容器であって、身部（１）内部に収納され、物品収容トレイ（４）を保持するとともに、蓋部（２）と連動して動く内部可動部（３）を備え、蓋部（２）を開くにつれて、物品収容トレイ（４）が、その後端部を上にして傾斜しながら身部（１）内部から出現するので、本発明の包装容器によれば、収容物が取り出しやすく、また、蓋部（２）を開いて収容物を展示等する際に前方から見やすく、しかも、蓋部（２）を開くにつれて容器内部の収容物が上方に出現するような動きを持たせていることから、収容物に対する印象を鮮明に際出させることができ、更に、組み立てる際には、フラップをスリットに嵌め込むことにより、身部（１）や蓋部（２）、或いは内部可動部（３）を形成することができ、接着剤を用いて貼り付ける工程を不要とすることができる。
【図面の簡単な説明】
【図１】本発明（本実施例）の包装容器の蓋部を閉じた状態の斜視図である。
【図２】本発明（本実施例）の包装容器の蓋部を開いた状態の斜視図である。
【図３】本発明（本実施例）の包装容器の身部・蓋部展開図である。
【図４】本発明（本実施例）の包装容器の内部可動部展開図である。
【図５】本発明（本実施例）の包装容器の身部と蓋部の組み立て手順の第１ステップの説明図である。
【図６】（ａ）は本発明（本実施例）の包装容器の身部と蓋部の組み立て手順の第２ステップの、（ｂ）は第３ステップの説明図である。
【図７】本発明（本実施例）の包装容器の内部可動部の組み立て手順の第１ステップの説明図である。
【図８】（ａ）は本発明（本実施例）の包装容器の内部可動部の組み立て手順の第２ステップの、（ｂ）は第３ステップの説明図である。
【図９】本発明（本実施例）の包装容器の分解斜視図である。
【図１０】カセットテープを収納した本実施例の包装容器の斜視図である。
【符号の説明】
１    身部                                        ２    蓋部
３    内部可動部                            ４    物品収容トレイ
５    後部内底板保持部                ６    前端部
７    物品収容トレイ保持部        １１    前板
１１ａ    ロック用スリット        １１ｂ  前板スリット
１２    側板                                    １３    底板
１４    後板                                    １５    天板
１６    後部内底板                        １７    前部内底板
１７ａ    内底板前スリット
１７ｂ    内底板後スリット
１８    スライド片                        １８ａ  突形端部
１９    ガイド片                            １９ａ  隙間層
２０    後部内底板保持用フラップ
２１    前板棚片                            ２２    前板内側片
２２ａ    前板内側片スリット
２３    前板内側片フラップ        ２４    前板側片
２５    前板側片フラップ            ２６    側板棚片
２７    側板棚片フラップ            ３１    ロック用フラップ
３２    天板側片
３２ａ    後部内底板保持用スリット
３３    天板側片フラップ            ３４    天板補強フラップ
３４ａ    嵌合用スリット            ４１    内底板前フラップ
４２    内底板後フラップ            ４３    内底板側片
４４    内底板棚片                        ４５    内底板内側片
４６    内底板前片
４７    内底板前片フラップ        ４８    内底板後片
４９    内底板後片フラップ        ５１    台紙
５２    仕切紙                                ６１    カセットテープ
【図１】
2004268946.tif 000003
【図２】
2004268946.tif 000004
【図３】
2004268946.tif 000005
【図４】
2004268946.tif 000006
【図５】
2004268946.tif 000007
【図６】
2004268946.tif 000008
【図７】
2004268946.tif 000009
【図８】
2004268946.tif 000010
【図９】
2004268946.tif 000011
【図１０】
2004268946.tif 000012